(57)【要約】【課題】インターフェースソケットが露出しているケーシングの開口部にインターフェースカバーを容易に取り付けることが出来ると共に、取付け後はインターフェースカバーが容易に外れることのない携帯型無線端末機を提供する。【解決手段】本発明に係る携帯型無線端末機において、インターフェースカバー３には、ケーシング１に設けられた開口部４を覆うカバー部３０の端部に、舌片部３１が突設され、ケーシング１には、開口部４の近傍位置に舌片部３１が挿入されるべき挿入路４０が凹設されている。舌片部３１には、係合孔３３が開設され、挿入路４０の途中には、係合孔３３に係合して舌片部３１の抜け止めを施す係合ピン５３が突設されている。該係合ピン５３には、係合孔３３に係合ピン５３が嵌入し得る姿勢まで舌片部３１を弾性変形せしめる傾斜面５４が形成されている。【選択図】      図３
2004165851.tif 000002
【特許請求の範囲】
【請求項１】
ケーシング（１）の開口部（４）から露出するインターフェースソケット（５０）に対してインターフェースコネクター（図示省略）を接続することにより、充電及び／又はデータ通信を行なうことが可能であって、前記開口部（４）には、弾性資材からなるインターフェースカバー（３）が取り付けられている携帯型無線端末機において、
インターフェースカバー（３）は、前記開口部（４）を覆うカバー部（３０）の端部に舌片部（３１）を突設して形成され、ケーシング（１）には、前記開口部（４）の近傍位置から奥方へ向けて、インターフェースカバー（３）の舌片部（３１）が挿入されるべき挿入路（４０）が形成され、インターフェースカバー（３）の舌片部（３１）には、前記挿入路（４０）とは直交する方向に深さを有する係合孔（３３）が形成される一方、前記挿入路（４０）の途中には、前記係合孔（３３）に係合してインターフェースカバー（３）の抜け止めを施す係合ピン（５３）が突設され、該係合ピン（５３）と前記インターフェースカバー（３）の舌片部（３１）の両方若しくは何れか一方には、インターフェースカバー（３）の挿入過程で相手部材と摺接して、前記係合孔（３３）に前記係合ピン（５３）が嵌入し得る姿勢までインターフェースカバー（３）の舌片部（３１）を弾性変形せしめる傾斜面（５４）が形成されていることを特徴とする携帯型無線端末機。
【請求項２】
前記傾斜面（５４）は、前記係合ピン（５３）の先端面に形成されて、前記挿入路（４０）の入口側に低く傾斜している請求項１に記載の携帯型無線端末機。
【請求項３】
ケーシング（１）には、前記挿入路（４０）と対向する面に、挿入過程におけるインターフェースカバー（３）の舌片部（３１）の弾性変形を許容する逃げ面（１５）が凹設されている請求項１又は請求項２に記載の携帯型無線端末機。
【請求項４】
ケーシング（１）には、前記逃げ面（１５）の奥方に、挿入が完了したインターフェースカバー（３）の舌片部（３１）の先端部へ向けて突出し、該舌片部（３１）の弾性変形を阻止する凸部（１３）が形成されている請求項３に記載の携帯型無線端末機。
【発明の詳細な説明】
【０００１】
【発明の属する技術分野】
本発明は、インターフェースコネクターを接続することによって、充電やデータ通信などを行なうことが可能な携帯型無線端末機に関するものである。
【０００２】
【従来の技術】
従来の携帯電話機においては、図１１及び図１２に示す如く、ケーシング（１０）に、インターフェースコネクター（図示省略）と接続すべきインターフェースソケット（５０）を具えたインターフェース端子（５）が内蔵されると共に、インターフェースソケット（５０）を露出させるための開口部（４）が設けられ、該開口部（４）は、弾性資材からなるインターフェースカバー（６）によって塞がれている。
【０００３】
インターフェースカバー（６）は、ケーシング（１０）の開口部（４）を塞ぐためのカバー部（６０）を具え、該カバー部（６０）の端部には舌片部（６１）が突設されている。ケーシング（１０）の開口部（４）の近傍には、インターフェースカバー（６）の舌片部（６１）を挿入すべき挿入路（４０）が設けられ、該挿入路（４０）の途中には、舌片部（６１）と係合すべき一対の突起部（５２）（５２）が形成されている。
更にインターフェースカバー（６）には、舌片部（６１）の両側部に、該舌片部（６１）と同じ厚さの突片部（６３）（６３）が形成され、該突片部（６３）（６３）には、夫々カバー部（６０）と対向する面にフック部（６２）が突設されると共に、該フック部（６２）と反対側の面には斜面（６４）が形成されている。
【０００４】
上記携帯電話機においては、インターフェースカバー（６０）をケーシング（１０）に取り付ける工程にて、先ずケーシング（１０）の挿入路（４０）にインターフェースカバー（６）の舌片部（６１）が挿入され、これによって、該舌片部（６１）の突片部（６３）（６３）に形成された斜面（６４）（６４）が、挿入路（４０）の途中に設けられた突起部（５２）（５２）に接触する。更に舌片部（６１）を挿入路（４０）の奥方へ挿入すると、突片部（６３）（６３）は両突起部（５２）（５２）の間に納まる形状まで弾性変形する。そして、突片部（６３）（６３）が突起部（５２）（５２）を超える位置まで舌片部（６１）を押し込むと、突片部（６３）（６３）は弾性復元力によって元の形状に戻り、図１３及び図１４に示す如く、フック部（６２）（６２）が突起部（５２）（５２）に引掛って両者の係合が完了する。
上記の係合構造を具えた携帯電話機によれば、インターフェースカバー（６）をケーシング（１０）に容易に取り付けることが出来る（特許文献１参照）。
【０００５】
【特許文献１】
特開２００２−１４１１４０号公報
【０００６】
【発明が解決しようとする課題】
しかしながら、上記特許文献１の携帯電話機における突起部（５２）（５２）とフック部（６２）（６２）との係合構造では、インターフェースカバー（６）の舌片部（６１）をケーシング（１０）の挿入路（４０）から引き抜く方向に力が加えられたとき、突片部（６３）（６３）は、舌片部（６１）の挿入時と同様に弾性変形し、該弾性変形の方向は、突起部（５２）とフック部（６２）との係合が外れる方向と同じであるため、両者の係合が容易に外れてしまう。
従って、インターフェースカバー（６）を紛失する虞があり、その結果、インターフェースソケット（５０）は露出されたままとなり、該露出部からケーシング（１０）の内部へゴミや塵が侵入することによって、電話機本体が故障する虞がある。
【０００７】
そこで本発明の目的は、インターフェースソケットが露出しているケーシングの開口部にインターフェースカバーを容易に取り付けることが出来、然も取付け後はインターフェースカバーが容易に外れることのない携帯型無線端末機を提供することである。
【０００８】
【課題を解決する為の手段】
本発明に係る携帯型無線端末機は、ケーシング（１）の開口部（４）から露出するインターフェースソケット（５０）に対してインターフェースコネクター（図示省略）を接続することにより、充電及び／又はデータ通信を行なうことが可能であって、前記開口部（４）には、弾性資材からなるインターフェースカバー（３）が取り付けられている。
【０００９】
前記インターフェースカバー（３）は、前記開口部（４）を覆うカバー部（３０）の端部に舌片部（３１）を突設して形成され、ケーシング（１）には、前記開口部（４）の近傍位置から奥方へ向けて、インターフェースカバー（３）の舌片部（３１）が挿入されるべき挿入路（４０）が形成され、インターフェースカバー（３）の舌片部（３１）には、前記挿入路（４０）とは直交する方向に深さを有する係合孔（３３）が形成されている。前記挿入路（４０）の途中には、前記係合孔（３３）に係合してインターフェースカバー（３）の抜け止めを施す係合ピン（５３）が突設され、該係合ピン（５３）と前記インターフェースカバー（３）の舌片部（３１）の両方若しくは何れか一方には、インターフェースカバー（３）の挿入過程で相手部材と摺接して、前記係合孔（３３）に前記係合ピン（５３）が嵌入し得る姿勢までインターフェースカバー（３）の舌片部（３１）を弾性変形せしめる傾斜面（５４）が形成されている。
具体的構成において、前記傾斜面（５４）は、前記係合ピン（５３）の先端面に形成されて、前記挿入路（４０）の入口側に低く傾斜している。
【００１０】
上記本発明の携帯型無線端末機によれば、インターフェースカバー（３）をケーシング（１）に取り付ける工程にて、インターフェースカバー（３）の舌片部（３１）をケーシング（１）の挿入路（４０）に挿入する過程において、舌片部（３１）の先端が係合ピン（５３）に接触した後、更に舌片部（３１）を挿入路（４０）の奥方へ押し込むことによって、舌片部（３１）は係合ピン（５３）の傾斜面（５４）上を摺動し、これに伴って屈曲方向に弾性変形する。更に係合孔（３３）が係合ピン（５３）と対向する位置まで舌片部（３１）を押し込むと、舌片部（３１）は弾性復元力により元の形状に戻り、これに伴って係合孔（３３）の中に係合ピン（５３）が嵌まり込む。この結果、係合ピン（５３）が係合孔（３３）に係合することになる。
従って、インターフェースカバー（３）の舌片部（３１）をケーシング（１）の挿入路（４０）に差し込むだけで、インターフェースカバー（３）をケーシング（１）に取り付けることが出来る。
【００１１】
又、上記本発明の携帯型無線端末機においては、インターフェースカバー（３）に対して舌片部（３１）をケーシング（１）の挿入路（４０）から引き抜く方向に力が加えられた場合、係合孔（３３）の内壁が係合ピン（５３）によって押圧されることにより、舌片部（３１）は弾性変形によって引抜き方向に延びるが、該弾性変形の方向は、係合孔（３３）が係合ピン（５３）から離脱する方向とは直交している。
従って、舌片部（３１）の弾性変形によって係合孔（３３）が係合ピン（５３）から離脱することはなく、よってインターフェースカバー（３）がケーシング（１）から容易に外れることはない。
【００１２】
又、具体的構成において、ケーシング（１）には、前記挿入路（４０）と対向する面に、挿入過程におけるインターフェースカバー（３）の舌片部（３１）の弾性変形を許容する逃げ面（１５）が凹設されている。
該具体的構成によれば、係合ピン（５３）と逃げ面（１５）との間にインターフェースカバー（３）の舌片部（３１）が通過可能な空間が形成されるため、舌片部（３１）は、係合ピン（５３）の傾斜面（５４）上を摺動して弾性変形しつつ、前記空間を通過して、挿入路（４０）の奥方へ進むことになる。
【００１３】
更に具体的構成において、ケーシング（１）には、前記逃げ面（１５）の奥方に、挿入が完了したインターフェースカバー（３）の舌片部（３１）の先端部へ向けて突出し、該舌片部（３１）の弾性変形を阻止する凸部（１３）が形成されている。
該具体的構成においては、インターフェースカバー（３）の舌片部（３１）をケーシング（１）の挿入路（４０）から引き抜く方向に大きな力が加えられることによって、仮に舌片部（３１）の先端が引抜き方向と直交する方向に弾性変形を生じるとしても、舌片部（３１）の先端は凸部（１３）に当接し、それ以上の弾性変形は阻止される。従って、舌片部（３１）の先端は、係合ピン（５３）が係合孔（３３）から抜け出す方向に大きく弾性変形することはなく、よってインターフェースカバー（３）がケーシング（１）から外れることはない。
【００１４】
【発明の効果】
本発明による携帯型無線端末機によれば、インターフェースカバー（３）のケーシング（１）への取付けは容易であり、然も取付け後にインターフェースカバー（３）が容易に外れることはない。
【００１５】
【発明の実施の形態】
以下、本発明を折り畳み式携帯電話機に実施した形態につき、図面に沿って具体的に説明する。
本発明に係る折り畳み式携帯電話機は、図１に示す如く、キー操作側ケーシング（１）にヒンジ機構（２３）を介してディスプレイ側ケーシング（２）を連結して構成され、キー操作側ケーシング（１）の表面とディスプレイ側ケーシング（２）の表面を互いに対向させて折り畳むことが可能となっている。
キー操作側ケーシング（１）には、ディスプレイ側ケーシング（２）と対向する表面に、複数の操作キーからなるキー操作部（１１）が設けられ、該キー操作部（１１）の下方には送話部（１２）が設置されている。一方、ディスプレイ側ケーシング（２）の表面には、メインディスプレイ（２１）が設けられ、該メインディスプレイ（２１）の上方には受話部（２２）が設置されている。
【００１６】
図２に示す如く、キー操作側ケーシング（１）にはインターフェース端子（５）が内蔵され、該インターフェース端子（５）とインターフェースコネクター（図示省略）とを接続するためのインターフェースソケット（５０）を露出させる開口部（４）が、キー操作側ケーシング（１）の下端部に形成されている。
図１に示す如く、前記開口部（４）には、弾性資材からなるインターフェースカバー（３）が取り付けられる。
【００１７】
図２に示す如く、インターフェースカバー（３）は、ケーシング（１）の開口部（４）の全体を覆うカバー部（３０）と、該カバー部（３０）の端部に突設された舌片部（３１）と、インターフェースソケット（５０）に嵌入されるべき嵌合部（３４）とから構成され、舌片部（３１）には、舌片部（３１）の突出方向に細長い一対の係合孔（３３）（３３）が貫通して設けられている。
又、キー操作側ケーシング（１）の開口部（４）の近傍には、前記舌片部（３１）を挿入すべき挿入路（４０）が設けられている。
【００１８】
図７に示す如く、キー操作側ケーシング（１）の挿入路（４０）は、キー操作側ケーシング（１）の内壁に形成された第１ガイド面（１４）と、インターフェースソケット（５０）の表面に形成された第２ガイド面（５１）とによって挟まれている。
又、図３及び図４に示す如く、キー操作側ケーシング（１）内の第２ガイド面（５１）には、インターフェースカバー（３）の舌片部（３１）が挿入路（４０）に挿入される過程で前記係合孔（３３）（３３）に嵌入すべき一対の係合ピン（５３）（５３）が突設されている。該係合ピン（５３）（５３）には、挿入路（４０）の入口側に低く傾斜する傾斜面（５４）（５４）が形成されている。
【００１９】
更に図７に示す如く、第１ガイド面（１４）の途中には、係合ピン（５３）（５３）に対向して逃げ面（１５）が凹設され、係合ピン（５３）（５３）との間に舌片部（６１）を通過させるための空間が確保されている。
又、キー操作側ケーシング（１）の第１ガイド面（１４）の終端部には、係合ピン（５３）（５３）よりも奥方に位置して挿入路（４０）側へ突出する凸部（１３）が形成されている。
【００２０】
インターフェースカバー（３）の舌片部（３１）をキー操作側ケーシング（１）の挿入路（４０）に挿入する過程においては、図９に示す如く、舌片部（３１）は、第１ガイド面（１４）及び第２ガイド面（５１）に沿って挿入路（４０）に挿入され、先ず舌片部（３１）の先端が係合ピン（５３）に接触する。
更に舌片部（３１）を挿入路（４０）の奥方へ挿入すると、舌片部（３１）は係合ピン（５３）の傾斜面（５４）上を摺動し、これに伴って屈曲方向に弾性変形する。更に舌片部（３１）を挿入路（４０）の奥方へ押し込んでいくと、舌片部（３１）は屈曲しつつ、係合ピン（５３）と逃げ面（１５）の間に形成されている空間を進むことになる。
【００２１】
その後、インターフェースカバー（３）の舌片部（３１）が挿入路（４０）の奥方に挿入されて、係合孔（３３）（３３）が係合ピン（５３）（５３）と対向する位置に達すると、図１０に示す如く、舌片部（３１）は弾性復元力により元の形状に戻り、これに伴って係合ピン（５３）が係合孔（３３）に嵌まり込むと共に、舌片部（３１）の先端が、第２ガイド面（５１）と凸部（１３）との間に侵入することになる。
この結果、図５、図６及び図８に示す如く、舌片部（３１）の係合孔（３３）（３３）が挿入路（４０）の係合ピン（５３）（５３）と係合し、インターフェースカバー（３）はキー操作側ケーシング（１）に取り付けられる。
【００２２】
上記本発明の携帯型無線端末機によれば、インターフェースカバー（３）の舌片部（３１）をキー操作側ケーシング（１）に設けられた挿入路（４０）に押し込むだけで、インターフェースカバー（３）をキー操作側ケーシング（１）に取り付けることが出来る。
【００２３】
又、インターフェースカバー（３）をキー操作側ケーシング（１）から取り外そうとして引っ張った場合、係合孔（３３）（３３）の内壁が係合ピン（５３）（５３）により押圧されて、舌片部（３１）は弾性変形によって引抜き方向に延びるが、該弾性変形の方向は係合ピン（５３）と係合孔（３３）との係合が外れる方向とは直交しているため、弾性変形によって該係合が解除されることはない。従って、インターフェースカバー（３）がキー操作側ケーシング（１）から外れることはない。
【００２４】
又、インターフェースカバー（３）の舌片部（３１）をキー操作側ケーシング（１）の挿入路（４０）から引き抜こうとした場合に、仮に引抜き方向と直交する方向に舌片部（３１）が弾性変形するとしても、舌片部（３１）の先端が凸部（１３）に当たって、それ以上の舌片部（３１）の弾性変形は阻止されるので、係合ピン（５３）（５３）と係合孔（３３）（３３）との係合が解除されることはない。従って、大きな外力によっても、インターフェースカバー（３）がキー操作側ケーシング（１）から外れることはない。
【００２５】
更に、上述の如く、携帯電話機本体の組立てが終了した後にインターフェースカバー（３）をキー操作側ケーシング（１）に取り付けることが出来るので、組立工程の作業性を改善することができる。
【００２６】
尚、本発明の各部構成は上記実施の形態に限らず、特許請求の範囲に記載の技術的範囲内で種々の変形が可能である。例えば、係合ピン（５３）に形成された傾斜面（５４）は、舌片部（３１）に形成し、或いは係合ピン（５３）と舌片部（３１）の両方に形成しても、上記実施例と同等の効果が得られる。
又、係合ピン（５３）を第１ガイド面（１４）に形成すると共に、該係合ピン（５３）に対向すべき逃げ面（１５）を第２ガイド面（５１）に形成しても、上記実施例と同等の効果が得られる。
【図面の簡単な説明】
【図１】本発明に係る折り畳み式携帯電話機の斜視図である。
【図２】該折り畳み式携帯電話機を裏返して、ケーシングに設けた開口部とインターフェースカバーの要部を示す斜視図である。
【図３】図２の要部を拡大して示す斜視図である。
【図４】同上の平面図である。
【図５】ケーシングにインターフェースカバーを取り付けた状態を示す斜視図である。
【図６】同上の平面図である。
【図７】図４のＡ−Ａ線に沿う断面図である。
【図８】ケーシングにインターフェースカバーを取り付けた状態の要部を示す断面図である。
【図９】インターフェースカバーの舌片部がキー操作側ケーシングの挿入路に挿入される過程を示す断面図である。
【図１０】インターフェースカバーの舌片部がキー操作側ケーシングの挿入路の終端まで挿入された状態を示す断面図である。
【図１１】従来の携帯電話機を裏返して、ケーシングに設けた開口部とインターフェースカバーの要部を示す斜視図である。
【図１２】同上の平面図である。
【図１３】該携帯電話機において、ケーシングにインターフェースカバーを取り付けた状態を示す斜視図である。
【図１４】同上の平面図である。
【符号の説明】
（１）  キー操作側ケーシング
（１３）  凸部
（１４）  第１ガイド面
（１５）  逃げ面
（２）  ディスプレイ側ケーシング
（２３）  ヒンジ機構
（３）  インターフェースカバー
（３１）  舌片部
（３３）  係合孔
（４）  開口部
（４０）  挿入路
（５）  インターフェース端子
（５１）  第２ガイド面
（５３）  係合ピン
（５４）  傾斜面
【図１】
2004165851.tif 000003
【図２】
2004165851.tif 000004
【図３】
2004165851.tif 000005
【図４】
2004165851.tif 000006
【図５】
2004165851.tif 000007
【図６】
2004165851.tif 000008
【図７】
2004165851.tif 000009
【図８】
2004165851.tif 000010
【図９】
2004165851.tif 000011
【図１０】
2004165851.tif 000012
【図１１】
2004165851.tif 000013
【図１２】
2004165851.tif 000014
【図１３】
2004165851.tif 000015
【図１４】
2004165851.tif 000016
【手続補正書】
【提出日】平成15年12月9日(2003.12.9)
【手続補正１】
【補正対象書類名】明細書
【補正対象項目名】請求項１
【補正方法】変更
【補正の内容】
【請求項１】
ケーシング（１）の開口部（４）から露出するインターフェースソケット（５０）に対してインターフェースコネクターを接続することにより、充電及び／又はデータ通信を行なうことが可能であって、前記開口部（４）には、弾性資材からなるインターフェースカバー（３）が取り付けられている携帯型無線端末機において、
インターフェースカバー（３）は、前記開口部（４）を覆うカバー部（３０）の端部に舌片部（３１）を突設して形成され、ケーシング（１）には、前記開口部（４）の近傍位置から奥方へ向けて、インターフェースカバー（３）の舌片部（３１）が挿入されるべき挿入路（４０）が形成され、インターフェースカバー（３）の舌片部（３１）には、前記挿入路（４０）とは直交する方向に深さを有する係合孔（３３）が形成される一方、前記挿入路（４０）の途中には、前記係合孔（３３）に係合してインターフェースカバー（３）の抜け止めを施す係合ピン（５３）が突設され、該係合ピン（５３）と前記インターフェースカバー（３）の舌片部（３１）の両方若しくは何れか一方には、インターフェースカバー（３）の挿入過程で相手部材と摺接して、前記係合孔（３３）に前記係合ピン（５３）が嵌入し得る姿勢までインターフェースカバー（３）の舌片部（３１）を弾性変形せしめる傾斜面（５４）が形成されていることを特徴とする携帯型無線端末機。